(57)【要約】【課題】  ホログラム記録媒体等の感光性記録媒体の遮光効果を向上できるカートリッジを提供する。【解決手段】  本発明に係るカートリッジは、略板状に形成された第１シェル１２と、第１シェル１２に重ね合わされるように接合される略板状の第２シェル１３と、第１シェル１２と第２シェル１３とに設けられた開口を開閉するシャッタ２０とを備え、第１シェル１２と第２シェル１３とを組み合わせてなるカートリッジ本体１１にディスク状の感光性記録媒体４０を回転自在に収容するカートリッジであって、シャッタ２０は、第１シェル１２内部及び第２シェル１３内部と、第１シェル１２外部及び第２シェル１３外部とに、開口１７を遮光する外側遮蔽板部２２と、内側遮光板部２４，２５とをそれぞれ備えている。【選択図】  図３
2007052861.tif 000002
【特許請求の範囲】
【請求項１】
略板状に形成された第１シェルと、前記第１シェルに重ね合わせるように接合する略板状の第２シェルと、前記第１シェルと前記第２シェルとのうち少なくとも一方に設けた開口を開閉するシャッタとを備え、前記第１シェルと前記第２シェルとを組み合わせてなるカートリッジ本体にディスク状の感光性記録媒体を回転自在に収容するカートリッジであって、
前記シャッタは、前記第１シェル及び第２シェルの一端面に沿ってスライドするスライド部を備えるとともに、前記第１シェル内部及び第２シェル内部と、前記第１シェル外部及び第２シェル外部とに、前記開口を遮光する遮光部をそれぞれ備えていることを特徴とするカートリッジ。
【請求項２】
前記シャッタの遮光部は、第１シェル及び第２シェルの外側から前記開口を遮光する外側遮光部と、前記第１シェル及び第２シェルの内部で前記開口を遮光する内側遮光部とを備える請求項１記載のカートリッジ。
【請求項３】
前記シャッタの遮光部は、
前記第１シェル及び第２シェルの前記開口を有する外面に対向する状態で、前記スライド部から垂直方向に突出し、前記第１シェル及び第２シェルの外側から前記開口を遮光する外側遮光部と、
前記スライド部と連結部を介して連結するとともに前記感光性記録媒体を両側から挟むような状態で前記スライド部から垂直方向に突出し、前記第１シェル及び第２シェルの内部で前記開口を遮光する内側遮光部と
を備えていることを特徴とする請求項1記載のカートリッジ。
【請求項４】
前記シャッタの遮光部は、
前記第１シェル及び第２シェルの前記開口を有する外面に対向する状態で、前記スライド部から垂直方向に突出し、前記第１シェル及び第２シェルの外側から前記開口を遮光する外側遮光部と、
前記外側遮光部と連結部を介して一体に連結するとともに前記感光性記録媒体を両側から挟むような状態で前記連結部から垂直方向に突出し、前記第１シェル及び第２シェルの内部で前記開口を遮光する内側遮光部と
を備えていることを特徴とする請求項１記載のカートリッジ。
【請求項５】
前記カートリッジ本体は、前記感光性記録媒体に対する内面と、前記シャッタに対する外面とに、表面粗さRa５：〜２０μｍのマット加工、またはシボ加工が施されていることを特徴とする請求項１〜請求項４のいずれか１項記載のカートリッジ。
【請求項６】
前記カートリッジ本体は、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることを特徴とする請求項１〜請求項５のいずれか１項記載のカートリッジ。
【請求項７】
前記第１シェル及び第２シェルと、シャッタは、その成形に用いられるプラスチックに遮光性物質が０．０１〜５．００重量％添加されていることを特徴とする請求項１〜請求項６のいずれか１項記載のカートリッジ。
【請求項８】
前記第１シェル及び第２シェルと、シャッタは、その成形に用いられるプラスチックにカーボンブラックが０．０１〜２．００重量％添加されていることを特徴とする請求項１〜請求項７のいずれか１項記載のカートリッジ。
【請求項９】
前記第１シェル及び第２シェルと、シャッタは、その成形に用いられるプラスチックにシリコーン系滑剤が０．１〜５．０重量％添加されていることを特徴とする請求項１〜請求項８のいずれか１項記載のカートリッジ。
【請求項１０】
感光性記録媒体は、ホログラム記録媒体であることを特徴とする請求項１〜請求項９のいずれか１項記載のカートリッジ。
【発明の詳細な説明】
【技術分野】
【０００１】
本発明は、感光性記録媒体を収容するカートリッジに係り、特に遮光性能を高めることができるカートリッジに関する。
【背景技術】
【０００２】
現在、下記特許文献１に示すように、ホログラムによってデータを記録するホログラム記録媒体が提案されている。このホログラム記録媒体は、円板形状の支持体上に感光性材料からなるホログラム記録層が積層された感光性記録媒体であり、原理的には、レーザなどの同一光源から出射するコヒーレント光を同位相の２つの光に分割し、記録すべきデータが記載された支持体面上で反射する一方の光（物体光）と、反射せずに光源から直接進行する他方の光（参照光）とを干渉させて干渉縞を形成させることにより、位相と振幅を記憶させたホログラムとしてデータの記録を行うものである。このホログラム記録媒体は、多層の記録層において干渉縞を一度に形成させることにより、従来のＤＶＤよりも大きなデータ記録容量を得ることができる。
【０００３】
また、このホログラム記録媒体は、ホログラム記録層が不用意に感光しないようにするため、下記特許文献２に示すように、遮光機能を有する薄手の箱状のカートリッジに収容した状態で取り扱うようにしたものも知られている。
特許文献２に記載のカートリッジでは、ホログラム記録層を回転自在な状態で挟み込むようにして収容する上側シェル及び下側シェルと、これら上側シェル及び下側シェルにホログラム記録層の一部を外部に露呈させるように形成する開口と、この開口を開閉するシャッタとを備えており、特に、カートリッジを、ホログラム記録層の感応色を遮光する材質で形成している。
【特許文献１】特開２００４−０２９４７６号公報
【特許文献２】特開２００３−３１７４２２号公報
【発明の開示】
【発明が解決しようとする課題】
【０００４】
しかしながら、特許文献２に記載のものにあっては、カートリッジ本体に対して開口を開閉自在とする状態で、シャッタを取付けるようにするため、シャッタと上側シェル及び下側シェルとの間には実質的に僅かな隙間が形成されており、この隙間から光がカートリッジ内に進入し、その進入した光によって、ホログラム記録媒体のホログラム記録層が感光してしまう虞がある。
【０００５】
本発明は、上記事情に鑑みてなされたもので、その目的は、ホログラム記録媒体等の感光性記録媒体に対して遮光性能を高めることができるカートリッジを提供することにある。
【課題を解決するための手段】
【０００６】
本発明の上記目的は、略板状に形成された第１シェルと、前記第１シェルに重ね合わせるように接合する略板状の第２シェルと、前記第１シェルと前記第２シェルとのうち少なくとも一方に設けた開口を開閉するシャッタとを備え、前記第１シェルと前記第２シェルとを組み合わせてなるカートリッジ本体にディスク状の感光性記録媒体を回転自在に収容するカートリッジであって、前記シャッタは、前記第１シェル及び第２シェルの一端面に沿ってスライドするスライド部を備えるとともに、前記第１シェル内部及び第２シェル内部と、前記第１シェル外部及び第２シェル外部とに、前記開口を遮光する遮光部をそれぞれ備えていることを特徴とするカートリッジによって達成される。
【０００７】
本発明のカートリッジは、前記シャッタの遮光部が、第１シェル及び第２シェルの外側から前記開口を遮光する外側遮光部と、前記第１シェル及び第２シェルの内部で前記開口を遮光する内側遮光部とを備えることが好ましい。こうすれば、シャッタを閉じた際に、外側遮光部と内側遮光部との２つの遮光部による２重遮光構造によりカートリッジ本体の開口を遮光するので、シャッタとカートリッジ本体との間に隙間が生じないため、光がシャッタとカートリッジ本体との間から進入することを回避できる。
【０００８】
上記カートリッジは、前記シャッタの遮光部が、前記第１シェル及び第２シェルの前記開口を有する外面に対向する状態で、前記スライド部から垂直方向に突出し、前記第１シェル及び第２シェルの外側から前記開口を遮光する外側遮光部と、前記スライド部と連結部を介して連結するとともに前記感光性記録媒体を両側から挟むような状態で前記スライド部から垂直方向に突出し、前記第１シェル及び第２シェルの内部で前記開口を遮光する内側遮光部とを備えていることが好ましい。こうすれば、シャッタを閉じた際に、外側遮光部及び内側遮光部とともに連結部でカートリッジ本体の開口との間を遮光することができるので、光がシャッタとカートリッジ本体の開口との間の隙間から侵入するのをより確実に回避できる。
【０００９】
上記カートリッジは、前記シャッタの遮光部が、前記第１シェル及び第２シェルの前記開口を有する外面に対向する状態で、前記スライド部から垂直方向に突出し、前記第１シェル及び第２シェルの外側から前記開口を遮光する外側遮光部と、前記外側遮光部と連結部を介して一体に連結するとともに前記感光性記録媒体を両側から挟むような状態で前記連結部から垂直方向に突出し、前記第１シェル及び第２シェルの内部で前記開口を遮光する内側遮光部とを備えていることが好ましい。こうすれば、外側遮光部及び内側遮光部とともに連結部でカートリッジ本体の開口との間を遮光することができるので、光がシャッタとカートリッジ本体の開口との間の隙間から侵入するのをより確実に回避できる。
【００１０】
また、上記カートリッジ本体は、感光性記録媒体に対する内面と、シャッタに対する外面とに、表面粗さＲａ５：〜２０μｍのマット加工、またはシボ加工が施されていることが好ましい。こうすれば、カートリッジ内部や、カートリッジ本体とシャッタとの間に光が進入した場合でも、粗面によって光を拡散、減衰させることができるため、感光性記録媒体に対する影響を軽減させることができる。
【００１１】
また、上記カートリッジ本体は、板形状の第１シェルと、この第１シェルに重ね合わされて溶着される第２シェルからなり、第１シェル及び第２シェルは、同一または類似の熱可塑性プラスチックで形成され、かつシャッタを含むその他の部品は、第１シェル及び第２シェルと異なる材質で形成されていることが好ましい。これにより、第１シェルと第２シェルとの溶接時に第１シェル及び第２シェルとその他の部品とが溶着してしまうのを防止することができる。
【００１２】
上記カートリッジは、第１シェル及び第２シェルと、シャッタが、その成形に用いられるプラスチックに遮光性物質が０．０１〜５．００重量％添加されていることが好ましい。また、第１シェル及び第２シェルと、シャッタは、その成形に用いられるプラスチックにカーボンブラックを使用する場合は、カーボンブラックが０．０１〜２．００重量％添加されていることが好ましい。こうすれば、カートリッジ本体とシャッタとの光透過率を小さくすることができ、カートリッジの遮光性能を向上させることができる。
【００１３】
また、上記カートリッジは、第１シェル及び第２シェルと、シャッタが、その成形に用いられるプラスチックにシリコーン系滑剤が０．１〜５．０重量％添加されていることが好ましい。こうすれば、シャッタの動作が滑らかになるため、シャッタとカートリッジ本体との間の摩擦により削り屑等が発生するのを防止することができる。
【００１４】
上記カートリッジは、感光性記録媒体が、ホログラム記録媒体であることが好ましい。こうすれば、ホログラム記録媒体を感光させることなく、カートリッジ本体内に保持することができる。
【発明の効果】
【００１５】
本発明によれば、ホログラム記録媒体等の感光性記録媒体の遮光効果を向上できる、感光性記録媒体用カートリッジを提供できる。
【発明を実施するための最良の形態】
【００１６】
以下、本発明に係るホログラム記録媒体用カートリッジ（以下、カートリッジという。）の実施形態について、図面に基づいて詳しく説明する。図１は、カートリッジを一方の面側から見た状態における外観形状を示す全体斜視図であり、図２は、カートリッジを他方の面側から見た状態における外観形状を示す全体斜視図である。図３は、図１のカートリッジのシャッタを開放した状態を示す全体斜視図である。図４は、カートリッジからシャッタを取外した状態を示す斜視図である。
【００１７】
カートリッジ１０は、カートリッジ本体１１を備えている。カートリッジ本体１１は、略板状に形成された第１シェル１２と、第１シェル１２に重ね合せるように接合する略板状の第２シェル１３とからなる。
なお、本実施形態では、図１において、カートリッジ本体１１の上側のシェルを第１シェル１２とし、また下側のシェルを第２シェル１３としているが、下側のシェルを第１シェル１２とし、また上側のシェルを第２シェル１３としてもよい。
【００１８】
カートリッジ本体１１の内部には、重ね合わせる第１シェル１２と第２シェル１３との間にディスク収容部１４（図４参照）が設けられている。ディスク収容部１４には、円板形状のホログラム記録媒体（以下、記録ディスクという。）４０が回転自在に収容されている。記録ディスク４０は、カートリッジ本体１１の内部に収容された状態で取り扱われる。
【００１９】
記録ディスク４０は、中心部に穴をあけてディスク状に形成したものであり、両面に感光性材料からなるホログラム記録層を設けており、感光性記録媒体を構成している。ホログラム記録層には、例えば、緑色５３２ｎｍ〜青色４０５ｎｍの波長域のレーザ光により、データがレーザ光の干渉縞として多層記録される。なお、記録ディスク４０の穴部に補強材を付加してもよい。
【００２０】
カートリッジ本体１１の第１シェル１２及び第２シェル１３には、それぞれ、ディスク収容部１４に収容した記録ディスク４０の一部を外部に露呈させる略舌形状の開口１７，１８が貫通した状態で穿設されている。
【００２１】
カートリッジ本体１１には、開口１７，１８を開閉するシャッタ２０が取付けられている。このシャッタ２０は、矢印Ｂ方向に開き位置まで移動させることで、開口１７，１８が開放される。また、シャッタ２０は、矢印Ｃ方向に閉じ位置まで移動させることで、開口１７，１８が該シャッタ２０によって遮蔽される。シャッタ２０は、図示しないバネによって閉じ方向である矢印Ｃ方向に付勢されている。そして、シャッタ２０は、カートリッジ本体１１の両面に形成されたロック機構３０によって、閉じ位置でロックされている。こうして、カートリッジ１０は、カートリッジ本体１１に対する振動や衝撃等によってシャッタ２０が移動し、開口１７，１８が不必要に開放されることを防止している。
【００２２】
カートリッジ１０は、記録ディスク４０にデータを記録する記録装置や、記録ディスク４０からデータを読み出す再生装置に設けられたカートリッジスロットに対して装填方向Ａから挿入される。カートリッジ１０は、記録装置又は再生装置に装填された際に、カートリッジ本体１１の両面に設けられた位置決め穴１５によって位置決めされ、シャッタ２０が開き位置に移動されて開口１７，１８が開放される。
【００２３】
例えば、図１に示す状態でカートリッジ１０が図示外の記録装置又は再生装置に装填された場合には、カートリッジ本体１１の下面に位置する第２シェル１３側の開口１８から記録装置又は再生装置のピックアップ部がカートリッジ本体１１内に挿入され、記録ディスク４０の下面のホログラム記録層に対しデータが記録又は再生される。また、図２に示すように、カートリッジ１０がその上下面を裏返して装置に装填された場合には、下面に配置される第１シェル１２側の開口１７からピックアップ部が挿入され、図１における記録ディスク４０の上面のホログラム記録層にデータが記録又は再生される。
【００２４】
記録装置及び再生装置の内部には、何れも図示しないが、カートリッジ１０のロック機構３０を解除するロック解除機構と、シャッタ２０を閉じ位置と開き位置との間で移動させるシャッタ開閉機構とが組み込まれている。ロック解除機構が、シャッタ２０のロック機構３０を解除し、シャッタ開閉機構がシャッタ２０の側面に形成された挿入穴２１ａに駆動用のピンを挿入し、該ピンを矢印Ｂ方向に駆動させ、シャッタ２０を開き位置まで移動させる。こうして、図３に示すように、カートリッジ１０の両面の開口１７，１８が開放される。
【００２５】
図５は、本実施形態に係るカートリッジ１０のシャッタ２０を示す全体斜視図、図６はそのシャッタ２０が装着されたカートリッジ１０を示す図１のＶＩ−ＶＩ線断面図である。
カートリッジ１０のカートリッジ本体１１を構成する第１シェル１２及び第２シェル１３には、それぞれの外側の一面に、段部１２ａ，１３ａ（図４参照）が形成されており、これらの段部１２ａ，１３ａの最奥部には、外光の進入を回避するためにスリット１２ｂ，１３ｂが形成されている。また、第１シェル１２及び第２シェル１３の段部１２ａ，１３ａには、（後述するシャッタ２０の係合ピン２２ｂが係合する）シャッタ２０の開閉動作をガイドするための長溝１２ｃ，１３ｃ（図３、図４に１２ｃのみ記載）が所定のストローク幅で穿設されているとともに、外光の進入を回避するために（後述するシャッタ２０の外側遮蔽板部２２，２３の屈曲部２２ａ，２３ａが当接する）鉤状部１２ｄ，１３ｄ（図４参照）が開口１７，１８近傍に形成されている。
【００２６】
一方、シャッタ２０には、カートリッジ本体１１にスライド可能に支持されるスライド板部２１と、スライド板部２１から垂直に突設され、かつ、互いに平行に配置された一対の外側遮蔽板部２２，２３及びスライド板部２１の内面に形成したバルク（略直方体）状の連結部２１ｂから垂直に突設され、かつ、互いに平行に配置された一対の内側遮蔽板部２４，２５とを備えている。従って、このシャッタ２０は、図６に示すように、外側遮蔽部材２２，２３同士の間に第１シェル１２及び第２シェル１３を挿し込んだ状態で、かつ、内側遮蔽板部２４，２５の間に記録ディスク４０を挿し込んだ状態で、カートリッジ本体１１に取付けられる。このとき、シャッタ２０は、カートリッジ本体１１に設けられた図示しないバネの一部が、スライド板部２１のカートリッジ本体１１側の面に係止されることで、その閉じ位置側に付勢された状態で保持される。
【００２７】
外側遮蔽板部２２，２３は、それぞれ略長方形の面を有する略板状の部材であって、その面は、シャッタ２０を閉じ位置に移動させた状態（図１に示す状態）で第１シェル１２及び第２シェル１３の開口１７，１８を完全に覆うような形状及び寸法に形成されている。なお、この外側遮蔽板部２２，２３には、これと対向する第１シェル１２及び第２シェル１３の対向面（外面）の段部１２ａ，１３ａに設けたスライドガイド用の長溝１２ｃ，１３ｃ（図３に１２ｃのみ示す）に沿ってスライドするため、その長溝１２ｃ，１３ｃに係合する係合ピン２２ｂ，２３ｂを第１シェル１２及び第２シェル１３との対向面（内面）にそれぞれ植設させている。また、一対の外側遮蔽板部２２，２３の少なくとも一方には、シャッタ２０を閉じ位置でロックした際にロック機構３０の図示しないロックレバに係合する爪部２６が形成されている。
【００２８】
シャッタ２０の端部、具体的には、各外側遮蔽板部２２，２３の、一方の長辺端部（図中矢印Ｂ方向側の長辺端部）に、断面略コ字状、別言すれば略袋状を呈する屈曲部２２ａ，２３ａが形成されている。屈曲部２２ａ，２３ａは、外側遮蔽板部２２，２３を金属材料等で構成する場合には、それらの長辺端部を所定の角度だけ折り曲げることで形成してもよい。また、外側遮蔽板部２２，２３をプラスチックなどの樹脂材料等で構成する場合には、予め外側遮蔽板部２２，２３と屈曲部２２ａ，２３ａとが形成された形状のキャビティを有する金型を用い、射出成形などにより一体に成形してもよい。
【００２９】
内側遮蔽板部２４，２５は、外側遮蔽板部２２，２３の間に形成されたそれぞれ略舌形状の面を有する略板状の部材であって、前述したようにスライド板部２１の内面に略直方体状に設けた連結部２１ｂから突出した状態で設置されている。また、この内側遮蔽板部２４，２５も、その舌形状の面は、シャッタ２０を閉じ位置に移動させた状態（図１に示す状態）で、第１シェル１２及び第２シェル１３に形成された開口１７，１８を覆うような形状及び寸法に形成されている。
【００３０】
図７（ａ）は、シャッタ２０が閉じ位置にある状態を示し、図７（ｂ）は、シャッタ２０が開き位置にある状態を示している。
前述したように、第１シェル１２及び第２シェル１３のそれぞれの外面には、スリット１２ｂ，１３ｂが形成されているので、シャッタ２０が閉じ位置に移動すると、シャッタ２０の外側遮蔽板部２２，２３における閉じ方向の側端縁２２ｃ，２３ｃ（図５（Ｂ）参照）がスリット１２ｂ，１３ｂに収納される。また、シャッタ２０が閉じ位置まで移動すると、外側遮蔽板部２２，２３の閉じ方向とは反対側に形成された屈曲部２２ａ，２３ａがカートリッジ本体１１を構成する第１シェル１２及び第２シェル１３の鉤状部１２ｄ，１３ｄに当接する。
【００３１】
スライド板部２１を操作してシャッタ２０を開き位置（図７（ｂ））から閉じ位置（図７（ａ））に移動させると、外側遮蔽板部２２が第１シェル１２の外面上をスライドし、図７（ａ）に示すように、屈曲部２２ａが第１シェル１２の段部１２ａの表面上を突出部１２ｄに当接する位置まで移動する。同様に、外側遮蔽板部２３も全く同様の動作を行い、屈曲部２３ａが第２シェル１３の段部１３ａの表面上を突出部１３ｄに当接する位置まで移動する。
【００３２】
一方、このシャッタ２０の開き位置から閉じ位置への移動の際に、内側遮蔽板部２４は、ディスク収容部１４の内部で記録ディスク４０の上面と僅かなギャップを保持した状態のまま記録ディスク４０の上面に沿って平行移動していき、一方の縁部（図７では左端部）が第１シェル１２のディスク収容部１４に臨む溝部１２ｅに当接するまで移動する。同様に、内側遮蔽板部２５も全く同様の動作を行い、一方の縁部（図７では左端部）が第２シェル１３のディスク収容部１４に臨む溝部１３ｅに当接するまで移動する。
【００３３】
このようにして、シャッタ２０が閉じ位置に移動すると、外側遮蔽板部２２の屈曲部２２ａが第１シェル１２側の突出部１２ｄとの間で袋状に閉じ合わされるとともに、外側遮蔽板部２３の屈曲部２３ａが第２シェル１３側の突出部１３ｄとの間で袋状に閉じ合わされる。同時に、内側遮蔽板部２４の一方の縁部も第１シェル１２の溝部１２ｅの奥部に進入して溝部１２ｅに係合するとともに、内側遮蔽板部２５の一方の縁部が第２シェル１３の溝部１３ｅの奥部に進入して溝部１３ｅに係合する。
【００３４】
このように、シャッタ２０が閉じ位置に移動すると、第１シェル１２，１３の開口１７，１８が外側遮蔽板部２２，２３及び内側遮蔽板部２４，２５で２重に遮蔽され、さらに、外側遮蔽板部２２，２３の各縁部が第１シェル１２，１３との間で閉じ合わされ、かつ、内側遮蔽板部２４，２５の一方の縁部と第１シェル１２，１３との間で閉じ合わされるので、外光が開口１７，１８内部に進入して記録ディスク４０に入射するのを回避できる。
【００３５】
従って、本実施形態によれば、このようにシャッタ２０を閉じ位置まで単純に一定方向にスライド動作させるだけで、外側遮蔽板部２２，２３及び内側遮蔽板部２４，２５がカートリッジ本体１１と係合して２重構造で記録ディスク４０を遮光状態にできるので、記録装置又は再生装置の内部からカートリッジ１０ごと記録ディスク４０を取り出すような場合に、ホログラム記録層が曝光されることなく、確実に、かつ、スムースな取り出し動作を行うことができる。
また、閉じ位置で遮光状態にあるシャッタ２０を単純に一定方向にスライド動作させるだけで、シャッタ２０による２重構造の遮光効果が簡単に解除されて開き位置までシャッタ２０を移動できるので、記録装置又は再生装置の記録及び再生動作などを行う際に、確実に、しかも、スムースに記録又は再生動作を行うことができる。
【００３６】
なお、本発明は、前述した実施形態に限定されるものではなく、適宜な変形、改良などが可能である。
例えば、図８に示すように、スライド板部２１の一方（シャッタ２０開き位置寄り）の端部（同図中、左端部）から垂直に延びる連結部２１ｂを設けるとともに、この連結部２１ｂから垂直方向に突出して記録ディスク４０を両側から挟むような状態に内側遮蔽板部２７，２８を設け、外側遮蔽板部２２，２３とともにこの内側遮蔽板部２７，２８でカートリッジ本体１１の開口を２重構造で遮光するような構成としてもよい。
【００３７】
また、本実施形態では、両面に記録が可能な記録ディスクを収容するカートリッジを例に説明したが、一方の面に記録される記録ディスクに対応させてもよい。この場合には、開口を一方の面にのみ形成してシャッタでこの開口を開閉するが、シャッタに設置する外側遮蔽板部及び内側遮蔽板部は、それぞれ1対ずつではなく、開口する一方の面側にそれぞれ1枚ずつ設置すればよい。また、本実施形態では、ホログラム記録媒体を収容するカートリッジを例に説明したが、その他の感光性を有する記録媒体を収容するカ一トリッジにも本発明を適用することができる。
【００３８】
ここで、カートリッジ本体１１の材料を説明する。カートリッジ本体１１は、第１シェル１２と、第２シェル１３とから構成されている。各シェル１２，１３は、遮光性物質と滑剤とが添加された同一または類似の熱可塑性プラスチックによって形成されている。
上記の遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００３９】
上記滑剤として、例えば、シリコーン系滑剤を用いることができる。このシリコーン系滑剤の添加により摩擦抵抗が低減するため、シャッタ１０の移動による削り屑の発生を少なくすることができる。また、輸送時の衝撃で記録ディスク４とカートリッジ２の内壁とが接触した場合の削り屑の発生も低減することができる。さらに、機器への挿入性能の取り扱い性が向上する。また、流動性が向上するため、成形時の混練性、射出成形等の加工性も向上する。
【００４０】
なお、シリコーン系滑剤の添加量としては、０．１〜３．０重量％が好ましい。０．１重量％以下では効果が少なく、３．０重量％以上では、流動性がよくなりすぎて混練、成形時にスクリューと樹脂とに滑りが生じて、加工性が悪化し、製品表面にブリードアウトして記録ディスク４や使用者の手などに付着し、取り扱い性、外観性で不具合を生じることがあるためである。なお、共重合シリコーンを使用する場合には、上記不具合は生じにくくなるため、５．０重量％まで添加することが可能である。
【実施例１】
【００４１】
次に、本発明の実施例について説明する。
上側シェル及び下側シェルの成形に用いる熱可塑性プラスチックには、ＰＢＴ、ＡＢＳ、ＰＯＭ、ＰＳ、ＰＰ、ＨＤＰＥ、ＰＡ、ＰＥＴ、ＰＰＳ、ＳＡＮ（スチレン−アクリルロニトル共重合）、ＰＭＭＡ、ＰＣ等を用いることができる。また、超音波溶着による誤溶着防止のために、上側シェル及び下側シェル以外の部品については、上記熱可塑性プラスチックの中から、上側シェル及び下側シェルに使用したものと異なるものを選択するとよい。
【００４２】
上側シェル及び下側シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが挙げられる。
【００４３】
（１）無機化合物
Ａ．酸化物・・・シリカ、ケイ藻土、アルミナ、酸化チタン、酸化鉄（鉄黒）、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミニウム、水酸化マグネシウム、塩基性炭酸マグネシウム等
Ｃ．炭酸塩・・・炭酸カルシウム、炭酸マグネシウム、ドロマイト、ドーソナイト等
Ｄ．（亜）硫酸塩、・・・硫酸カルシウム、硫酸バリウム、硫酸アンモニウム、亜硫酸カルシウム等
Ｅ．ケイ酸塩・・・タルク、クレー、マイカ、アスベスト、ガラス繊維、ガラスバルーン、ガラスビーズ、ケイ酸カルシウム、モンモリロナイト、ベントナイト等
Ｆ．炭素・・カーボンブラック、グラファイト、炭素繊維、炭素中空球等
Ｇ．その他・・・鉄粉、銅粉、鉛粉、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
（２）有機化合物
木粉（松、樫、ノコギリクズなど）、穀繊維（アーモンド、ピーナッツ、モミ殻など）、木綿、ジュート、紙細片、非木材繊維（ワラ、ケナフ、竹、エスパルト、パガス、モロヘイヤ、煙火など）、セロハン片、ナイロン繊維、ポリプロピレン繊維、デンプン（変性デンプン、表面処理デンプンも含む）、芳香族ポリアミド繊維等
【００４４】
これらの遮光性物質に中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００４５】
遮光性物質としてカーボンブラックを使用する場合には、その添加量を０．０１〜２．００重量％とするのが好ましい。上述したように、遮光性及び物理強度のバランスがよいプラスチックを得るためである。
【００４６】
カーボンブラックの原料による分類例をあげるとガスブラック、ファーネスプラック、チャンネルブラック、アントランセンブラック、アセチレンブラック、ケッチェンカーボンプラック、サーマルブラック、ランプブラック、油煙、松煙、アニマルプラック、ベジタブルブラック等がある。
【００４７】
好ましいカーボンブラッグの市販品の代表例としては、例えば三菱化成製のカーボンブラック＃２０（Ｂ）、＃３０（Ｂ）、＃３３（Ｂ）、＃４０（Ｂ）、＃４１（Ｂ）、＃４４（Ｂ）、＃４５（Ｂ）、＃５０、＃５５、＃１００、＃６００、＃９５０、＃１０００、＃２０００（Ｂ）、＃２４００（Ｂ）、ＭＡ８、ＭＡ１００等が挙げられる。また、電気化学製のデンカブラック、東海カーボンのシースト、旭カーボンの旭＃７８、昭和キャボネットのショウワブラック、新日鉄化学のニテロン、三菱化学のダイヤモンドブラック等の各種グレードのものも用いることができる。
【００４８】
海外の製品としては、例えばキャボネット社のＢｌａｃｋ  Ｐｅａｒｌｓ  ２、４６、７０、７１、７４、８０、８１、６０７等、Ｒｅｇａｌ１３００、３３０，４００，６６０、９９１、ＳＲＦ−Ｓ等、Ｖｕｌｃａｎ  ３、６等、Ｓｔｅａｒｌｉｎｇ１０、ＳＯ、Ｖ、Ｓ、ＦＴ−ＦＦ、ＭＴ−ＦＦ等が挙げられる。
【００４９】
さらにアシュランドケミカル社のＵｎｉｔｅｄ  Ｒ、ＢＢ，１５，１０２，３００１，３００４，３００６，３００７，３００８、３００９，３０１１，３０１２、ＸＣ−３０１６、ＸＣ−３０１７、３０２０等が挙げることができるが、本発明は、これらに限定されるものではない。
【００５０】
また、上側シェル及び下側シェルと、シャッタとに添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練りこみ品のどちらでも使用可能である。なお、シリコーン系滑剤の添加量としては、０．１〜５．０重量％が好ましい。上述したように、摩擦抵抗と、製品品質、製造適正のバランスのよいプラスチックを得るためである。
【００５１】
また、シェルに設ける粗面としては、表面粗さＲａ：５μｍ以下だと光拡散効果が薄く、２０μｍ以上だと記録ディスクとの接触面に傷を発生させるおそれがある。そのため、表面粗さＲａ：５〜２０μｍのマット加工、またはシボ加工が好ましい。
【００５２】
また、上側シェルと下側シェルとの固着に超音波溶着を用いたが、その他の溶着方法及び固着方法を用いてもよい。例えば、ネジなどで固着する場合には、ネジ穴の周囲にも遮光構造を形成するのが好ましい。
【００５３】
上記構成のカートリッジを作製したところ、良好な遮光性が得られた。
更に、ここでは両面に記録が可能な記録ディスクを収容するカートリッジを例に説明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体、或いは感光性を有しなくとも、防塵性などの密閉性を必要とする記録媒体を収容するカートリッジにも本発明を適用することができる。
【図面の簡単な説明】
【００５４】
【図１】本発明に係るカートリッジを一方から見た状態における外観形状を示す全体斜視図である。
【図２】そのカートリッジを他方から見た状態における外観形状を示す全体斜視図である。
【図３】そのカートリッジのシャッタを開放した状態を示す全体斜視図である。
【図４】そのカートリッジからシャッタを取り外した状態を示す全体斜視図である。
【図５】（ａ）はそのシャッタを示す破断斜視図、（ｂ）はそのＶｂ−Ｖｂ線断面図である。
【図６】図１のＶＩ−ＶＩ線断面図であり、（ａ）はシャッタが閉じ位置にある状態を示し、（ｂ）はシャッタが開き位置にある状態を示している。
【図７】図１のＶＩＩ−ＶＩＩ線断面図であり、（ａ）はシャッタが閉じ位置にある状態を示し、（ｂ）はシャッタが開き位置にある状態を示している。
【図８】（ａ）は本発明に係るシャッタの変形例を示す全体斜視図、（ｂ）は（ａ）のＶＩＩＩｂ−ＶＩＩＩｂ線断面図である。
【符号の説明】
【００５５】
１０    カートリッジ
１１    カートリッジ本体
１２    第１シェル
１３    第２シェル
１７，１８    開口
２０    シャッタ
２１    スライド板部（スライド部）
２１ｂ    連結部
２２，２３    外側遮蔽板部（外側遮光部）
２２ａ，２３ａ    屈曲部
２２ｃ，２３ｃ    側端縁
２４，２５，２７，２８    内側遮蔽板部（内側遮光部）
４０    記録ディスク（ホログラム記録媒体）
【図１】
2007052861.tif 000003
【図２】
2007052861.tif 000004
【図３】
2007052861.tif 000005
【図４】
2007052861.tif 000006
【図５】
2007052861.tif 000007
【図６】
2007052861.tif 000008
【図７】
2007052861.tif 000009
【図８】
2007052861.tif 000010